(57)【要約】      （修正有）【課題】電柱などの屋外固定物に外観良く取り付けることができ、広告機能と共に、周囲を照明する防犯機能を有した広告防犯灯を提供する。【解決手段】電柱に取り付けられる広告防犯灯である。上部に看板表示器２が設けられ、看板表示器２には表示面に透光性を有する透光看板１３が取り付けられる。透光看板１３の内側から外側に光を照射して表示する看板照明光源が設けられる。看板表示器２の底部に防犯灯３が下向きに取り付けられる。このように、広告防犯灯１は、透光看板１３を点灯表示する広告機能と周囲を照明する防犯機能との両機能を有する共に、デザイン的に一体感を出すように構成され、電柱の側部に良好な外観で取り付けて使用することができる。【選択図】図１
0003144232.tif 000002
【実用新案登録請求の範囲】
【請求項１】
電柱などの屋外固定物に取り付けられる広告防犯灯であって、上部に看板表示器が設けられ、該看板表示器には表示面に透光性を有する透光看板が取り付けられ、該透光看板の内側から外側に光を照射して表示する看板照明光源が該看板表示器に設けられ、該看板表示器の底部に防犯灯が下向きに取り付けられたことを特徴とする広告防犯灯。
【請求項２】
前記看板表示器には、前記看板照明光源として多数の白色発光ダイオードと導光板が設けられ、該多数の白色発光ダイオードは該導光板の端部に対向して並設され、該白色発光ダイオードから照射された光を端部から該導光板内に入射させ、該導光板の平面から光を出射させて、該導光板の外側に配置した該透光看板に対し背面照明を行なうこと特徴とする請求項１記載の広告防犯灯。
【請求項３】
前記看板表示器の下部にケースが取り付けられ、前記防犯灯は、該ケースの底面に複数の白色発光ダイオードを下向きに取り付けて形成されたこと特徴とする請求項１または２記載の広告防犯灯。
【請求項４】
前記看板表示器及び前記防犯灯の電源として商用電源が使用され、昼と夜を検出する昼夜センサと、該昼夜センサからの信号に基づき該商用電源のオンオフを行なう電源制御回路と、商用電源を直流に変換して前記看板照明光源及び前記防犯灯に電力を供給する直流変換部と、を備えたこと特徴とする請求項１乃至３の何れかに記載の広告防犯灯。
【考案の詳細な説明】
【技術分野】
【０００１】
本考案は、電柱などの屋外固定物に取り付けられる広告防犯灯に関し、特に看板を点灯表示する看板表示器の底部に防犯灯を取り付けた構成の広告防犯灯に関する。
【背景技術】
【０００２】
電柱の側部に突き出すように取り付けられる柱上看板として、夜間に点灯表示されるように内側に照明器具を設けた看板表示器が、一般に知られている。
【０００３】
また、電柱には、夜間の街角の照明のために、下記特許文献１に記載されるような、防犯灯が取り付けられる場合があり、看板表示器を取り付けた電柱に、さらに、防犯灯を取り付けることがある。
【特許文献１】特開平１０−１６２６０７号公報
【考案の開示】
【考案が解決しようとする課題】
【０００４】
このように、看板表示器を取り付けた電柱にさらに防犯灯を取り付ける場合、電柱上の防犯灯と看板表示器の取付位置は、照明効果や見易さから、相互に干渉する高さ位置になりやすい。
【０００５】
このため、防犯灯と看板表示器の両方を同じような位置に取り付けた電柱は、外観的に乱雑で醜いデザインとなってしまう。特に、電柱に防犯灯や看板表示器を取り付ける場合、通常、取付バンドを有したフレーム状の取付金具を用いて取り付けているが、このような取付金具が電柱の周りに複数個取り付けられると、乱雑で良好なデザイン性を悪化させてしまう課題があった。
【０００６】
本考案は、上述の課題を解決するものであり、電柱などの屋外固定物に外観良く取り付けることができ、広告機能と共に、周囲を照明する防犯機能を有した広告防犯灯を提供することを目的とする。
【課題を解決するための手段】
【０００７】
本考案に係る広告防犯灯は、電柱などの屋外固定物に取り付けられる広告防犯灯であって、上部に看板表示器が設けられ、該看板表示器には表示面に透光性を有する透光看板が取り付けられ、該透光看板の内側から外側に光を照射して表示する看板照明光源が設けられ、該看板表示器の底部に防犯灯が下向きに取り付けられたことを特徴とする。
【０００８】
この考案によれば、広告防犯灯は、１個の器具に、看板を点灯表示する広告機能と周囲を照明する防犯機能を具備させて且つ小型化に構成することができ、電柱などの屋外固定物に広告防犯灯を外観良く取り付けることができる。つまり、看板表示器と防犯灯を別個に形成して各々を電柱などに固定した場合に比べ、シンプルな外観で小型化が可能となり、電柱などへの取付金具の数も少なくすることができる。
【０００９】
ここで、上記看板表示器には、上記看板照明光源として多数の白色発光ダイオードと導光板が設けられ、多数の白色発光ダイオードは導光板の端部に対向して並設され、白色発光ダイオードから照射された光を端部から導光板内に入射させ、導光板の平面から光を出射させて、導光板の外側に配置した透光看板に対し背面照明を行なうように構成することができる。
【００１０】
この考案によれば、看板表示器の厚さを薄くし、看板照明光源の設置スペースを最小として、表示面を効率よく最大化し照明することができる。
【００１１】
また、上記看板表示器の下部にケースが取り付けられ、防犯灯は、該ケースの底面に複数の白色発光ダイオードを下向きに取り付けて構成することができる。
【００１２】
この考案によれば、防犯灯の灯具を小型・軽量化することができ、看板表示器の底部に簡単に取り付けることができる。
【００１３】
また、上記看板表示器及び防犯灯の電源として商用電源が使用され、該昼と夜を検出する昼夜センサと、該昼夜センサからの信号に基づき該電源のオンオフを行なう電源制御回路と、商用電源を直流に変換して上記看板照明光源及び防犯灯に電力を供給する直流変換部と、を備えて構成することができる。
【００１４】
この考案によれば、共通の電源、昼夜センサ、及び電源制御回路を用いて看板表示器と防犯灯の両方の点灯制御を行うことができる。
【考案の効果】
【００１５】
上記構成の広告防犯灯によれば、看板表示器による広告機能と共に、周囲を照明する防犯機能をもたせることができ、また、最少の取付金具により電柱などの屋外固定物に外観良く簡単に取り付けて使用することができる。
【考案を実施するための最良の形態】
【００１６】
以下、本考案の一実施形態を図面に基づいて説明する。図１は広告防犯灯１の正面図を示し、図２はその看板表示器２の部分の拡大断面図を示し、図３は防犯灯３の正面図を示している。
【００１７】
この広告防犯灯１は、上部にパネル状の看板表示器２が設けられ、看板表示器２には外側の両側に、透光性を有する透光看板１３が配設され、両透光看板１３の内側に、内側から外側に向けて光を照射して表示する、導光板１２と多数の白色発光ダイオードからなる看板照明光源１４が設けられる。さらに、看板表示器２の底部には、ケース２１と防犯照明用の白色発光ダイオード２２を備えた、防犯灯３が下向きに取り付けられて構成される。
【００１８】
看板表示器２は、長方形の板状に形成され、図２に示すように、外側には４辺を囲うように枠体１１が嵌め込まれ、枠体１１の内側に長方形の導光板１２の縁部が嵌入され保持されている。さらに、その導光板１２の両外側に、透光看板１３が配設されている。透光看板１３は、例えば透光性を有した乳白色のアクリル板の表面に、看板用の文字、図柄などをプリントしたものである。
【００１９】
図２に示す如く、枠体１１内における導光板１２の端部に対向した位置に、看板照明光源１４として多数の白色発光ダイオードが導光板１２の端部に沿って並設され、多数の白色発光ダイオードから導光板１２内に白色光を入射させるようになっている。
【００２０】
導光板１２は２枚の導光板を重ね合わせて構成され、その重ね合わせ面に乱反射面を形成し、導光板１２内に入射した光を乱反射面で乱反射させ、透光看板２の正面（両面）に向けて白色光を照射する構造である。看板照明光源１４としての多数の白色発光ダイオードは、枠体１１の内側に沿って配置された回路基板１５上に実装されている。
【００２１】
上記看板表示器２の下部（底部）に、図３〜図７に示すような、直方体状のケース２１が取り付けられる。ケース２１の厚さは、デザイン性を考慮して看板表示器２の枠体１１と同程度に薄く形成され、パネル状の看板表示器２と一体感を出している。防犯灯３は、このケース２１の底面に光源として複数の白色発光ダイオード２２を下向きに取り付けて構成される。ケース２１内には、図８に示すような電源制御回路２３を含む白色発光ダイオード２２の電源部が内蔵され、さらに上記看板照明光源１４の電源部も、このケース２１内に内蔵されている。
【００２２】
防犯灯３の光源は、複数の白色発光ダイオード２２を用いて構成されるが、ここでは、例えば、４個の発光ダイオードユニットを並設して形成される。各発光ダイオードユニットは、例えば４個の白色発光ダイオード２２を回路基板上に取り付けて形成され、直流変換部２６を含む電源部がユニット内に内蔵され、照明器具としてユニット化されている。
【００２３】
また、白色発光ダイオード２２を取り付けた回路基板上はシリコン樹脂などによりモールドされ、モールドの表面は反射面を形成し、高輝度の白色発光ダイオードを用いることにより、各発光ダイオードユニットは充分な輝度を有している。
【００２４】
防犯灯３のケース２１の底部には、透明カバー２１ａが４個の発光ダイオードユニットを覆うように取り付けられる。一方、ケース２１内には、図８に示すような、電源制御回路２３を含む電気回路が配設されている。図８に示すように、この広告防犯灯１は、電源として商用電源を使用しており、電源制御回路２３はその商用電源を、昼夜センサ２４に信号に基づき、オンオフ制御して、直流変換部２５，２６に給電するように構成される。昼夜センサ２４はケース２１の外側に取り付けられ、昼または夜を検出し、それを示す信号を発生する。
【００２５】
昼夜センサ２４は太陽電池を用いたセンサであり、電源制御回路２３に接続される。昼夜センサ２４は、日没時に太陽電池の出力電圧が所定のレベル以下に低下したとき、夜信号を出力し、夜明け時に太陽電池の出力電圧が所定のレベルを超えたとき、昼信号を出力する。電源制御回路２３は昼夜センサ２４から夜信号を入力する間、電源をオンして直流変換部２５，２６に給電を行い、昼信号を入力する間、電源をオフして給電を停止する。
【００２６】
直流変換部２５，２６は、商用電源からＡＣ１００Ｖの交流を入力し、その交流電圧を降圧すると共に整流し、例えば、発光ダイオードを駆動するＤＣ１２Ｖの直流に変換する回路である。
【００２７】
この実施形態では、看板照明光源１４の白色発光ダイオード用の直流変換部２５と、防犯灯用の白色発光ダイオード２２用の直流変換部２６を別個に設けたが、電流容量の大きい１個の直流変換部を用いて看板照明光源１４と白色発光ダイオード２２の両方に直流電力を給電するように構成することもできる。
【００２８】
上記構成の広告防犯灯１は、図９に示すように、電柱の側部に、２個の専用の取付金具４を用いて、看板表示器２が鉛直姿勢をとり、防犯灯３が下方を向けて光を照射する形態で取り付けられる。上方の取付金具４の取付部は看板表示器２の上部を保持し、下方の取付金具４の取付部は看板表示器２の下部で防犯灯３のケース２１の上部を保持するように取り付けられる。
【００２９】
図９に示すように、広告防犯灯１は、電柱の側部に、２個の取付金具４を用いて取り付けられるので、看板表示器と防犯灯を別個に形成して各々を電柱に固定する場合に比べ、少ない取付金具を用いて電柱に取り付けることができ、その外観はシンプルで、見苦しさはなく、デザイン性を阻害しない広告防犯灯とすることができる。
【００３０】
この広告防犯灯１は、昼夜センサ２４が夜を検出すると、電源制御回路２３が電源をオンし、直流変換部２５，２６を通して所定の直流電圧の直流電力が看板照明光源１４と防犯灯３の白色発光ダイオード２２に給電され、点灯する。看板照明光源１４の点灯により、看板表示器２の透光看板１３が背面照明され、点灯表示される。また、同時に防犯灯３の白色発光ダイオード２２が点灯し、周囲の街角や道路などを照明する。
【００３１】
このように、広告防犯灯１は、透光看板１３を点灯表示する広告機能と周囲を照明する防犯機能との両機能を有する共に、デザイン的に一体感を出すように構成され、電柱の側部に良好な外観で取り付けて使用することができる。
【００３２】
なお、上記実施形態では、広告防犯灯１を電柱の側部に取り付けたが、電柱の他、各種のポール、建造物などに取り付けることもできる。
【図面の簡単な説明】
【００３３】
【図１】本考案の一実施形態を示す広告防犯灯の正面図である。
【図２】図１のII-II拡大断面図である。
【図３】防犯灯の拡大正面図である。
【図４】防犯灯の拡大平面図である。
【図５】防犯灯の拡大底面図である。
【図６】防犯灯の左側面図である。
【図７】防犯灯の右側面図である。
【図８】広告防犯灯の電気回路のブロック図である。
【図９】使用状態を示す広告防犯灯の正面図である。
【符号の説明】
【００３４】
１      広告防犯灯
２      看板表示器
３      防犯灯
４      取付金具
１１    枠体
１２    導光板
１３    透光看板
１４    看板照明光源
１５    回路基板
２１    ケース
２１ａ  透明カバー
２２    白色発光ダイオード
２３    電源制御回路
２４    昼夜センサ
２５    直流変換部
２６    直流変換部
【図１】
0003144232.tif 000003
【図２】
0003144232.tif 000004
【図３】
0003144232.tif 000005
【図４】
0003144232.tif 000006
【図５】
0003144232.tif 000007
【図６】
0003144232.tif 000008
【図７】
0003144232.tif 000009
【図８】
0003144232.tif 000010
【図９】
0003144232.tif 000011